(57)【要約】【課題】  コメントやトラックバックなどのユーザのコミュニケーション活動にも基づいて生成されたコミュニティにおいて、そのコミュニティに関する情報収集を的確に行う【解決手段】  本発明は、取得対象リストを参照し、取得対象のWeblogアドレスを取得し、該Weblogアドレスに基づいてネットワークから当該Weblogの情報を取得し、情報の中から各ユーザが行ったコミュニケーション活動の履歴を抽出することにより、次に取得する情報のアドレスを決定し、取得対象リストに格納し、取得対象リストに格納されたアドレスに基づいて情報収集を繰り返し、収集した情報をデータベースに格納する。【選択図】  図１
2007080103.tif 000002
【特許請求の範囲】
【請求項１】
ネットワーク上に存在するユーザ同士のコミュニケーション活動履歴に基づいて形成されたコミュニティの情報を収集する情報収集方法であって、
記憶手段に、少なくとも、取得対象とするWeblogのアドレス一覧が記載された取得対象リストを格納しておき、
Weblog取得手段によって、前記取得対象リストを参照し、取得対象のWeblogアドレスを取得し、該Weblogアドレスに基づいて前記ネットワークから当該Weblogの情報を取得するWeblog取得ステップと、
コミュニケーション情報解析手段によって、前記情報の中から各ユーザが行ったコミュニケーション活動の履歴を抽出することにより、次に取得する情報のアドレスを決定し、前記取得対象リストに格納するコミュニケーション情報解析ステップと、
前記取得対象リストに格納された前記アドレスに基づいて収集した情報をデータベースに格納する情報保存ステップと、
を全ての収集対象について繰り返すことを特徴とする情報収集方法。
【請求項２】
前記コミュニケーション情報解析ステップにおいて、
取得した前記情報にWeblogのコメントが含まれているかを判定し、含まれている場合には、該情報のＨＴＭＬからコメントの回数、コメント元のアドレス、コメントされた時刻のいずれかまたは、全てを抽出し、該コメント元のアドレスが抽出された場合は該コメント元のアドレスを前記取得対象リストに格納し、
取得した前記情報にWeblogのトラックバックが含まれているかを判定し、含まれている場合には、トラックバックの回数、トラックバック元のアドレス、トラックバックされた時刻のいずれかまたは、全てを抽出し、該トラックバック元のアドレスが抽出された場合は該トラックバック元のアドレスを前記取得対象リストに格納する、
請求項１記載の情報収集方法。
【請求項３】
記憶手段に少なくとも、取得対象とするWeblogのアドレス一覧が記載された取得対象リストが格納されているコンピュータに、
前記取得対象リストを参照し、取得対象のWeblogアドレスを取得し、該Weblogアドレスに基づいて前記ネットワークから当該Weblogの情報を取得するWeblog取得ステップと、
前記情報の中から各ユーザが行ったコミュニケーション活動の履歴を抽出することにより、次に取得する情報のアドレスを決定し、前記取得対象リストに格納するコミュニケーション情報解析ステップと、
前記取得対象リストに格納された前記アドレスに基づいて情報収集を繰り返し、収集した情報をデータベースに格納する情報保存ステップと、
を実行させることを特徴とする情報収集プログラム。
【請求項４】
前記コミュニケーション情報解析ステップにおいて、
取得した前記情報にWeblogのコメントが含まれているかを判定し、含まれている場合には、該情報のＨＴＭＬからコメントの回数、コメント元のアドレス、コメントされた時刻のいずれかまたは、全てを抽出し、該コメント元のアドレスが抽出された場合は該コメント元のアドレスを前記取得対象リストに格納するステップと、
取得した前記情報にWeblogのトラックバックが含まれているかを判定し、含まれている場合には、トラックバックの回数、トラックバック元のアドレス、トラックバックされた時刻のいずれかまたは、全てを抽出し、該トラックバック元のアドレスが抽出された場合は該トラックバック元のアドレスを前記取得対象リストに格納するステップと、
を実行する請求項３記載の情報収集プログラム。
【発明の詳細な説明】
【技術分野】
【０００１】
本発明は、情報収集方法及びプログラムに係り、特に、ネットワーク上に存在する情報を収集する技術において、その情報を利用するユーザのコミュニケーション行動の履歴に基づいて収集を行うための情報収集方法及びプログラムに関する。
【背景技術】
【０００２】
ネットワーク上に存在する情報を自動的に収集するプログラムは、一般にクローラとして広く知られている（例えば、非特許文献１参照）。
【０００３】
一般的なクローラは、各情報の間に張られたリンク情報を辿っていくことによって、多数の情報収集を行っている（例えば、非特許文献２参照）。
【０００４】
また、収集する情報をその内容毎に分類し、選択的に収集することによって効率的な情報収集を行う方法が知られている（例えば、特許文献１参照）。
【特許文献１】特願平１１−３２７９９５号公報
【非特許文献１】http://e-words.jp/w/E382ADE383BCE383A9.html
【非特許文献２】http://www.affiliateportal.net/dic/s_crawler.html
【発明の開示】
【発明が解決しようとする課題】
【０００５】
今日、ネットワーク上では、各ユーザがWeblog（http://e-words.jp/w/Weblog.html）をそれぞれ所有し、その上でコメント機能やトラックバック(http://e-words.jp/w/E38388E383A9E38383E382AFE38390E38383E382AF.html)機能などを介したコミュニケーション活動が頻繁に行われている。
【０００６】
コメントやトラックバックといったユーザの行動の履歴は、Weblogを構成するＨＴＭＬ（htpp://e-words.jp/w/HTML.html）内にコンテンツそのもの、あるいはハイパーリンクの形で蓄積されていく。
【０００７】
このようなコミュニケーション活動を複数のユーザが相互に行うことによって、ネットワーク上にコミュニケーション活動を介したコミュニティが形成されており、このようなコミュニティに関する情報を収集する方法が必要となってきている。
【０００８】
従来のリンク情報のみに基づいて情報収集方法は、基本的には単純にハイパーリンクを辿っていくので、コミュニケーション活動に基づかないハイパーリンクも情報収集のために用いてしまうため、コミュニケーション活動に基づいたコミュニティ内の情報収集を効率的に行うことは難しい。
【０００９】
また、特許文献１ように内容に基づいて情報収集を行う方法では、互いのWeblogに書いている内容は異なるが、コミュニケーション活動は相互に行われているような場合に、コミュニティ内の情報を的確に収集することは難しい。
【００１０】
本発明は、上記の点に鑑みなされたもので、コメントやトラックバックなどのユーザのコミュニケーション活動に基づいて生成されたコミュニティにおいて、そのコミュニティに関する情報収集を的確に行うことが可能な情報収集方法及びプログラムを提供することを目的とする。
【課題を解決するための手段】
【００１１】
図１は、本発明の原理を説明するための図である。
【００１２】
本発明（請求項１）は、ネットワーク上に存在するユーザ同士のコミュニケーション活動履歴に基づいて形成されたコミュニティの情報を収集する情報収集方法であって、
記憶手段に、少なくとも、取得対象とするWeblogのアドレス一覧が記載された取得対象リストを格納しておき、
Weblog取得手段によって、取得対象リストを参照し、取得対象のWeblogアドレスを取得し、該Weblogアドレスに基づいてネットワークから当該Weblogの情報を取得するWeblog取得ステップ（ステップ１）と、
コミュニケーション情報解析手段によって、情報の中から各ユーザが行ったコミュニケーション活動の履歴を抽出することにより、次に取得する情報のアドレスを決定し、取得対象リストに格納するコミュニケーション情報解析ステップ（ステップ２）と、
取得対象リストに格納されたアドレスに基づいて収集した情報をデータベースに格納する情報保存ステップ（ステップ３）と、を全ての収集対象について繰り返す。
【００１３】
また、本発明（請求項２）は、請求項１の情報収集方法であって、
コミュニケーション情報解析ステップ（ステップ２）において、
取得した情報にWeblogのコメントが含まれているかを判定し、含まれている場合には、該情報のＨＴＭＬからコメントの回数、コメント元のアドレス、コメントされた時刻のいずれかまたは、全てを抽出し、該コメント元のアドレスが抽出された場合は該コメント元のアドレスを取得対象リストに格納し、
取得した情報にWeblogのトラックバックが含まれているかを判定し、含まれている場合には、トラックバックの回数、トラックバック元のアドレス、トラックバックされた時刻のいずれかまたは、全てを抽出し、該トラックバック元のアドレスが抽出された場合は該トラックバック元のアドレスを取得対象リストに格納する。
【００１４】
本発明（請求項３）は、記憶手段に少なくとも、取得対象とするWeblogのアドレス一覧が記載された取得対象リストが格納されているコンピュータに、
取得対象リストを参照し、取得対象のWeblogアドレスを取得し、該Weblogアドレスに基づいてネットワークから当該Weblogの情報を取得するWeblog取得ステップと、
情報の中から各ユーザが行ったコミュニケーション活動の履歴を抽出することにより、次に取得する情報のアドレスを決定し、取得対象リストに格納するコミュニケーション情報解析ステップと、
取得対象リストに格納されたアドレスに基づいて情報収集を繰り返し、収集した情報をデータベースに格納する情報保存ステップと、を実行させる。
【００１５】
また、本発明（請求項４）は、請求項３の情報収集プログラムであって、
コミュニケーション情報解析ステップにおいて、
取得した情報にWeblogのコメントが含まれているかを判定し、含まれている場合には、該情報のＨＴＭＬからコメントの回数、コメント元のアドレス、コメントされた時刻のいずれかまたは、全てを抽出し、該コメント元のアドレスが抽出された場合は該コメント元のアドレスを取得対象リストに格納するステップと、
取得した情報にWeblogのトラックバックが含まれているかを判定し、含まれている場合には、トラックバックの回数、トラックバック元のアドレス、トラックバックされた時刻のいずれかまたは、全てを抽出し、該トラックバック元のアドレスが抽出された場合は該トラックバック元のアドレスを取得対象リストに格納するステップと、を実行する。
【発明の効果】
【００１６】
上記のように本発明によれば、ユーザのコミュニケーション活動に基づいて生成されたコミュニティ内の情報収集を的確に行うために、コミュニティ内の各ユーザのコミュニケーション活動の履歴を用いることにより、コメントやトラックバックなどのコミュニケーション活動に基づいて形成されたコミュニティの情報を的確に取得することが可能となる。
【発明を実施するための最良の形態】
【００１７】
以下、図面と共に本発明の実施の形態を説明する。
【００１８】
最初に本発明の概要を説明する。
【００１９】
図２は、本発明を適用するコミュニティの一例を示す。
【００２０】
ユーザｂは、ユーザａのWeblogＡに対してコメントを送信している。
【００２１】
このとき、ユーザｂ自らが所有するWeblogＢのアドレス（ＵＲＬ）を通知していれば、一般的なWeblogシステムの場合、WeblogＡからWeblogＢへのリンクが生成される。
【００２２】
また、ユーザｃは、ユーザａのWeblogＡに対してトラックバック・ピングを送信している。ここで、トラックバック・ピングとは、トラックバックしたことを通知するために用いられる通信方法で、Weblogシステムが一般的に備えている機能である。
【００２３】
WeblogＣからのトラックバック・ピングを受けたWeblogＡは、トラックバック・ピングの中に含まれているWeblogＣのアドレス（ＵＲＬ）を用いて、WeblogＡ中にWeblogＣへのリンクを作成する。
【００２４】
その他、WeblogＤ、WeblogＥについてもコメント、トラックバックによってリンクが生成されている。
【００２５】
このように各ユーザのコミュニケーション活動の履歴が各Weblogに蓄積され、それぞれがリンクされることによってコミュニティが形成されていく。
【００２６】
なお、WeblogＣからは通常のリンクがWeblogＦに張られているが、これはコミュニケーション活動の結果として生成されたリンクではなく、ユーザｃがWeblogＣの内容に関連して張ったリンクとなるため、本発明が対象とするコミュニティには入らない。
【００２７】
本発明では、このようなコメント及びトラックバックという各ユーザ同士のコミュニケーション活動によって形成されるコミュニティを対象とする。
【００２８】
次に、このようなコミュニティに対して情報収集をするための手法を、情報収集の起点が図２のWeblogＡであるとして説明する。
【００２９】
まず、WeblogＡの内容を取得し、各ユーザからのコメントが記述されている箇所の抽出を行う。
【００３０】
さらに、その箇所からコメントを記述した各ユーザが所有しているWeblogのアドレス（ＵＲＬ）の抽出を行うと、WeblogＢのアドレス（ＵＲＬ）が得られるので、WeblogＢを次回の情報収集の対象とする。
【００３１】
WeblogＡに複数のコメントがある場合には、上記動作を繰り返すことによってそれぞれのアドレス（ＵＲＬ）を抽出し、それら全てを次回の情報収集の対象とする。
【００３２】
なお、コメントを送信するユーザは自らが所有するWeblogのアドレスを通知せずにコメントを送信することも可能であるため、各ユーザのWeblogのアドレスを得られない場合もある。
【００３３】
この場合は、コメントがあったことだけを認識し、コメント送信者のWeblogを次回の情報収集の対象に加えることはしない。
【００３４】
次に、WeblogＡから各ユーザからのトラックバックが記述されている箇所の抽出を行う。さらにその箇所からそのトラックバックを行った各ユーザが所有しているWeblogのアドレス（ＵＲＬ）の抽出を行うと、WeblogＣのアドレス（ＵＲＬ）が得られるので、WeblogＣを次回の情報収集の対象とする。
【００３５】
WeblogＡに複数のトラックバックがある場合には、上記動作を繰り返すことによってそれぞれのアドレス（ＵＲＬ）を抽出し、それら全ての次回の情報収集の対象とする。
【００３６】
なお、コメントと異なる、トラックバックの場合はトラックバック・ピングの中に自らのWeblogのアドレスが必ず含まれるため、ここでは、常にアドレスが抽出されることとなる。
【００３７】
上記の処理によって、WeblogＢとWeblogＣが情報収集の対象となったため、それぞれに対してWeblogＡに行った処理と同様の処理を行う。
【００３８】
但し、通常のリンクとして張られているWeblogＣからWeblogＦへのリンクは、コミュニケーション活動に基づくリンクではないので、WeblogＦへの情報収集は実行されない。
【００３９】
このような処理をコメント・トラックバックがなくなるまで再帰的に行うことによって、コミュニティ内部のWeblogの情報を全て収集することが可能である。
【００４０】
このような手法によって、ユーザ同士のコミュニケーション活動に基づいて形成されたコミュニティに関する情報収集を的確に行うことができる。
【００４１】
以下に本発明の実施の形態を詳細に説明する。
【００４２】
図３は、本発明の一実施の形態におけるシステム構成を示す。
【００４３】
同図に示すシステムは、情報収集装置１００とネットワーク２００が接続されており、ネットワーク２００には、複数のWeblogＡ〜Ｄ…が接続されている。なお、ネットワーク２００に接続されたWeblogサーバ中に１つあるいは複数のWeblogが存在する形態が通常であるが、同図では、サーバを省略し、Weblogのみを記載している。
【００４４】
情報収集装置１００は、ネットワーク通信部１１０、取得対象リスト１２０、取得除外リスト１３０、Weblog取得部１４０、コミュニケーション情報解析部１５０、Weblog情報保存部１６０、Weblog情報ＤＢ１７０から構成される。なお、ここで、取得対象リスト１２０、取得除外リスト１３０はそれぞれメモリや磁気ディスク等の記憶手段に格納されている。
【００４５】
ネットワーク通信部１１０は、インターネットなどのネットワーク２００に接続してネットワーク２００上に存在するＨＴＭＬを取得する。
【００４６】
取得対象リスト１２０は、取得対象とするWeblogのアドレス（ＵＲＬ）一覧が記載されているリストであり、情報収集開始時の初期値として与えられるだけではなく、情報収集中に抽出された次の収集対象が格納され、次回以降の情報収集の際に用いられる。
【００４７】
取得除外リスト１３０は、情報収集の対象外となるWeblogのアドレス（ＵＲＬ）一覧が格納されているリストである。
【００４８】
Weblog取得部１４０は、取得対象リスト１２０に記載されているWeblogをネットワーク通信部１１０を介して取得する。
【００４９】
コミュニケーション情報解析部１５０は、取得したWeblogのＨＴＭＬからコメントやトラックバックなどコミュニケーション活動に関連した情報を抽出する。抽出する情報としては、例えば、コメント・トラックバックの回数、コメント・トラックバック元のアドレス（ＵＲＬ）、コメント・トラックバックがされた時刻などである。そのうち、コメント・トラックバック元のアドレス（ＵＲＬ）については、次回の情報収集の対象とするために、取得対象リスト１２０に追加格納する。
【００５０】
また、コミュニケーション解析部１５０は、コメントやトラックバック元のアドレス（ＵＲＬ）を抽出して取得対象リスト１２０に書き込むが、このとき書き込まれたアドレスがWeblogのアドレスではない可能性がある。一般的に良く知られているアドレス（ＵＲＬ）でWeblogのアドレスではないものについては、事前に取得除外リスト１３０に記載しておき、取得しないことによって不要なネットワーク２００へのアクセスを防止する。
【００５１】
Weblog情報保存部１６０は、コミュニケーション情報解析部１５０によって抽出されたコミュニケーション活動に関連した情報を、各Weblogに関連付けてWeblog情報ＤＢ１７０に保存する。
【００５２】
WeblogＤＢ１７０は、各Weblogに関連付けてコミュニケーション活動に関連した情報などが保存されるデータベースである。Weblog情報ＤＢ１７０には、例えば、Weblogアドレス（ＵＲＬ）、Weblogを構成するＨＴＭＬ、Weblogの要約情報であるＲＳＳ（http://e-words.jp/w/RSs.html）のアドレス、コメント・トラックバックの回数、コメント・トラックバック元のアドレス（ＵＲＬ）、コメント・トラックバックがされた時刻などが格納される。
【００５３】
次に、上記の構成における動作を説明する。
【００５４】
図４は、本発明の一実施の形態における動作を説明するための図である。
【００５５】
Weblog取得部１４０は、取得対象リスト１２０を読み出して、アドレスを一つ（ここではWeblogＡ）を取得し（ステップ１０１）、それが取得除外対象であるかを取得除外リスト１３０を読み出して判断する（ステップ１０２）。WeblogＡが取得対象外である場合は（ステップ１０２、Ｎｏ）次の収集対象（WeblogＢ）を取得するフェーズに移行する。
【００５６】
WeblogＡが取得対象外ではない場合（ステップ１０２、Ｙｅｓ）は、Weblog取得部１４０においてWeblogＡに関する情報が既にWeblog情報ＤＢ１７０に格納されているかを判断する（ステップ１０３）。これは、WeblogＡが取得対象リスト１２０の初期値として与えられている場合は問題ないが、本システムの動作中に取得したWeblogから次の取得対象として抽出され、取得対象リスト１２０に追加格納されたWeblogの場合には、既に取得済みとなっている可能性があるため、二重取得に成ってしまうことを防ぐための処理である。
【００５７】
WeblogＡに関する情報が既にWeblog情報ＤＢ１７０に格納されていれば（ステップ１０３、Ｎｏ）、次の収集対象（WeblogＢ）を取得するフェーズに移行する。
【００５８】
ここで、WeblogＡは未取得なので、次にWeblog取得部１４０はネットワーク通信部１１０を介してWeblogＡを構成するＨＴＭＬ及びWeblogＡのＲＳＳを取得する（ステップ１０４）。ここで、ＲＳＳとは、Weblogの要約情報として用いられているデータ形式のことである。ＲＳＳのアドレスは、通常WeblogＡを構成するＨＴＭＬに含まれるので、そこから抽出したアドレスによりネットワーク通信部１１０を介してＲＳＳを取得する。
【００５９】
次に、Weblog取得部１４０は、取得したＨＴＭＬがWeblogであるかどうかを判断する（ステップ１０５）。一般的なWeblogの機能として、ＲＳＳを自動的に生成する機能があるため、本実施の形態では、ＲＳＳが存在すれば、取得したＨＴＭＬはWeblogを構成しているＨＴＭＬであると判断する。但し、この判断部分は他の手段で代替することも可能である。
【００６０】
Weblogではないと判断された場合（ステップ１０５、Ｎｏ）、取得したHTMLは破棄し、次の収集対象を取得するフェーズに移行する。
【００６１】
一方、Weblogであると判定された場合（ステップ１０５、Ｙｅｓ）、コミュニケーション解析部１５０によってコミュニケーション情報を抽出するフェーズに移行する。
【００６２】
コミュニケーション情報解析部１５０では、まず、WeblogＡにコメントが含まれているかが解析される。この解析には、各Weblogを構成するＨＴＭＬに含まれるＨＴＭＬタグの情報を用いる。ＨＴＭＬタグの構成は、Weblogサービスを提供する事業者により異なるが、例えば、<a id=”comments”>といったタグが手掛かりとなる。
【００６３】
このような解析は、Weblogサービス事業者毎に処理を用意することが望ましい。
【００６４】
コミュニケーション情報解析部１５０は、上記のような手掛かりを基に、WeblogＡにコメントが含まれているかを判断する（ステップ１０６）。コメントが含まれている場合は（ステップ１０６、Ｙｅｓ）、そのコメントに関する情報をＨＴＭＬから抽出する（ステップ１０７）。抽出する情報は、コメントの回数、コメント元のアドレス（ＵＲＬ）、コメントされた時刻などである。このうち、コメント元のアドレス（ＵＲＬ）として、例えば、WeblogＣのアドレス（ＵＲＬ）が抽出された場合、WeblogＣを次回の収集対象とするため、WeblogＣのアドレス（ＵＲＬ）を取得対象リスト１２０に追加格納される（ステップ１０７）。
【００６５】
なお、複数のコメントがある場合は、上記のステップ１０６，１０７の処理を繰り返し実行する。
【００６６】
また、コメント元のＵＲＬについては、コメントを入力した人が入力していない場合もあり得るが、その場合はコメント元のアドレス（ＵＲＬ）は空欄となり、取得対象リスト１２０にも追加格納されない。但し、コメントがあったことについては認識されるので、コメントの回数にカウントされる。
【００６７】
次に、WeblogＡにトラックバックを含んでいるかが解析される。
【００６８】
コメントの解析同様、トラックバックの解析にも各Weblogを構成するＨＴＭＬに含まれるＨＴＭＬタグの情報を用いる。トラックバックの場合は、例えば、<a id=”trackback”>といったタグが手掛かりとなる。トラックバックの解析についても、Weblogサービス事業者毎に処理を用意することが望ましい。
【００６９】
但し、トラックバック元の抽出については、Weblogのデファクト的な仕様(http://lowlife.jp/yasusii/stories/8.html#retrieving%20trackback%20pings)に基づいて、トラックバック・ピングのために用いるＵＲＬに特殊な引数を与えることによって、ＨＴＭＬを解析することなく抽出することも可能である。
【００７０】
コミュニケーション情報解析部１５０は、上記のような手段を用いてWeblogＡにトラックバックが含まれているかを判断する（ステップ１０８）。
【００７１】
トラックバックが含まれている場合は（ステップ１０８、Ｙｅｓ）、そのトラックバックに関する情報をＨＴＭＬもしくは、上記のデファクト的な仕様から得られた情報から抽出する（ステップ１０９）。
【００７２】
抽出する情報は、トラックバックの回数、トラックバック元のアドレス（ＵＲＬ）、トラックバックされた時刻などである。このうち、トラックバック元のアドレス（ＵＲＬ）として、例えば、WeblogＤのアドレス（ＵＲＬ）が抽出された場合、WeblogＤを次の収集対象とするため、WeblogＤのアドレス（ＵＲＬ）を取得対象リスト１２０に格納する。
【００７３】
なお、複数のトラックバックが存在する場合は、上記のステップ１０８、１０９の処理を繰り返す。
【００７４】
このようにして抽出された情報は、Weblog情報保存部１６０によって、Weblog情報ＤＢ１７０に保存される（ステップ１１０）。ここで、保存される情報は、例えば、Weblogのアドレス（ＵＲＬ）、Weblogを構成するＨＴＭＬ、WeblogのＲＳＳアドレス（ＵＲＬ）、コメント・トラックバックの回数、コメント・トラックバック元のアドレス（ＵＲＬ）、コメント・トラックバックがされた時刻などがある。
【００７５】
これら一連の処理を取得対象リスト１２０の中に未取得のものがなくなるまで、もしくは、別に設定する取得回数に達するまで繰り返すことによって、コミュニケーション活動に基づいて形成されたコミュニティの情報を的確に取得することが可能となる。
【００７６】
また、上記の情報収集装置１００の動作をプログラムとして構築し、情報収集装置として利用されるコンピュータにインストールして実行させる、または、ネットワークを介して流通させることが可能である。
【００７７】
なお、本発明は、上記の実施の形態に限定されることなく、特許請求の範囲内において種々変更・応用が可能である。
【産業上の利用可能性】
【００７８】
本発明は、インターネットなどのネットワークに存在する情報を収集する技術に適用可能である。
【図面の簡単な説明】
【００７９】
【図１】本発明の原理を説明するための図である。
【図２】本発明を適用するコミュニティの一例である。
【図３】本発明の一実施の形態におけるシステム構成図である。
【図４】本発明の一実施の形態における動作を説明するための図である。
【符号の説明】
【００８０】
１００  情報収集装置
１１０  ネットワーク通信部
１２０  取得対象リスト
１３０  取得除外リスト
１４０  Weblog取得部
１５０  コミュニケーション情報解析部
１６０  Weblog情報保存部
１７０  Weblog情報ＤＢ
２００  ネットワーク
ａ，ｂ，ｃ，ｄ，ｅ  ユーザ
Ａ，Ｂ，Ｃ，Ｄ，Ｅ，Ｆ  Weblog
【図１】
2007080103.tif 000003
【図２】
2007080103.tif 000004
【図３】
2007080103.tif 000005
【図４】
2007080103.tif 000006